(57)【特許請求の範囲】
【請求項１】
建物構造体から屋外方向に突出した状態で固定される支持アームと、該支持アームの上方を覆う天板と、前記支持アームの下方を覆う軒天井板と、前記支持アームの先端部に固定され前記天板の先端部および前記軒天井板の先端部を覆う庇化粧材とを備える庇を設けた軒先構造であって、
前記庇化粧材は前記支持アームに受材を介して複数の固定部で固定され、
前記受材と前記庇化粧材との第１の固定部は、前記軒天井板の先端より外側に位置し、
前記庇化粧材は、前記第１の固定部の下方に水受部を有しており、該水受部の下方に前記受材と前記庇化粧材とを固定する第２の固定部が設けられていることを特徴とする軒先構造。
【請求項２】
前記庇化粧材は、その上部が前記天板の立ち上がり部に水切りカバーを介して固定され、第３の固定部を構成し、前記庇化粧材と前記天板との前記第３の固定部は、該天板の上部に位置することを特徴とする請求項１に記載の軒先構造。
【請求項３】
前記軒天井板は、前記建物構造体側の端部が該建物構造体に差込み支持されるとともに、先端側の端部が前記庇化粧材に引掛け支持されることを特徴とする請求項１又は２に記載の軒先構造。
【請求項４】
建物構造体から屋外方向に突出して固定される支持アームと、該支持アームの上面を覆う天板と、前記支持アームの下面を覆う軒天井板とを備える庇の周囲を覆う庇化粧材であって、
該庇化粧材は、その上部で前記支持アームに受材を介して第１の固定部で固定されると共に、該受材の前記第１の固定部下方に水受部が形成されており、該水受部に溜められた水を前記庇化粧材の外部に排出する水抜き孔を形成したことを特徴とする庇化粧材。
【請求項５】
前記庇化粧材は、前記受材又は支持アームに固定される中間部で２部材に分割されることを特徴とする請求項４に記載の庇化粧材。
【発明の詳細な説明】
【技術分野】
【０００１】
本発明は、建物の軒先構造と、軒先構造を構成する庇に使用する庇化粧材に係り、特に、雨水等の浸入を防止し、浸水による美観低下を防止して、長期にわたって美観を維持できる軒先構造と、庇化粧材に関する。
【背景技術】
【０００２】
従来、この種の軒先構造としては、家屋本体に対し、玄関ポーチおよび該玄関ポーチと連続するスペースを覆う延長庇を取付け、該延長庇が、型鋼からなる梁によって構成された骨組を有する複数種類の幅寸法の庇ユニット群からなり、該庇ユニット群の内側が、家屋本体の下階の天井梁もしくは上階の床梁に固定されると共に、庇ユニット群の外側が柱体もしくは袖壁体によって支持され、前記スペースが、家屋本体の外壁と前記柱体もしくは袖壁体との間に２ｍ以上の寸法を有する延長庇を有する家屋がある（例えば、特許文献１参照）。
【０００３】
また、従来の軒先構造の一例として、図４に示される軒先構造がある。この軒先構造では、建物構造体３１の上梁３２から支持アーム３３が水平方向に突出して固定され、支持アーム３３の上部を天板３４が覆い、支持アーム３３の下方を軒天井板３５が覆っている。そして、庇化粧材３６は支持アーム３３の先端に受材３７を介してビス３８やブラインドリベット等で固定され、天板３４と軒天井板３５の空間を覆っている。
【先行技術文献】
【特許文献】
【０００４】
【特許文献１】特開２００３−２３２０７５号公報
【発明の概要】
【発明が解決しようとする課題】
【０００５】
ところで、前記構造の延長庇を有する家屋では、化粧庇は、複数本の取付脚部に固定された受材を介して固定されており、化粧庇の受材への固定部は軒天井板の上部となっている。このため、受材と化粧庇（庇化粧材）の固定部から雨水等が浸入すると、化粧庇の内部に雨水が滴下して軒天井板の上部に溜まってしまい、軒天井板にしみや、変色が発生する恐れがあった。また、浸水により受材等が腐食して軒天井板が脱落する恐れがあった。
【０００６】
さらに、図４等で示される従来の軒先構造では、庇化粧材３６の上部の受材３７とのビス３８等による固定部は、軒天井板３５の上部に位置しており、この固定部３８から、雨天時に雨水が浸入すると、図にＲで示されるように雨滴が滴下し、軒天井板３５にしみ込んで変色してしまう恐れがある。また、雨滴量が多くなると、軒天井板３５の周辺に広がり、軒天井板を支持している金具等の支持材を腐蝕させ、軒天井板３５が落下してしまう恐れも発生する。
【０００７】
本発明は、このような問題に鑑みてなされたものであって、その目的とするところは、化粧庇（庇化粧材）の固定部から雨水等が浸入しにくく、浸入しても軒天井板に変色やしみ等の影響を与えることがなく、耐久性に優れた軒先構造を提供することにある。また、雨水等が浸入しても軒天井板に変色やしみ等の影響を与えることが少ない庇化粧材を提供することにある。
【課題を解決するための手段】
【０００８】
前記目的を達成すべく、本発明に係る軒先構造は、建物構造体から屋外方向に突出した状態で固定される支持アームと、該支持アームの上方を覆う天板と、前記支持アームの下方を覆う軒天井板と、前記支持アームの先端部に固定され前記天板の先端部および前記軒天井板の先端部を覆う庇化粧材とを備える庇を設けた軒先構造であって、前記庇化粧材は前記支持アームに受材を介して複数の固定部で固定され、前記受材と前記庇化粧材との第１の固定部は、前記軒天井板の先端より外側に位置し、前記庇化粧材は、前記第１の固定部の下方に水受部を有しており、該水受部の下方に前記受材と前記庇化粧材とを固定する第２の固定部が設けられていることを特徴としている。
【０００９】
前記のごとく構成された本発明の軒先構造では、庇化粧材をビス等で受材を介して支持アームに固定した貫通孔の部分から雨水等が浸入したとき、浸入した水は庇化粧材の内部に滴下するが、庇化粧材を固定する固定部は軒天井板の突出方向の先端の外側に位置しているため、浸入した雨水が支持アームの下方を覆っている軒天井板に滴下することはない。このため、軒天井板の変色や腐食を防止することができ、長期間にわたって軒先構造の美観を保つことができる。
【００１０】
また、本発明に係る軒先構造では、前記庇化粧材は、前記第１の固定部の下方に水受部を有しており、該水受部の下方に前記受材と前記庇化粧材とを固定する第２の固定部が設けられているため、第１の固定部から雨水等が浸水しても、その下方に水受部があり、この水受部で浸入した雨水を溜めて排出することができ、この水受部下方の第２の固定部で受材を介して庇化粧材を支持アームに固定できるため、固定状態が安定すると共に第２の固定部からの浸水が防止される。
【００１１】
さらに、本発明に係る軒先構造の好ましい具体的な他の態様としては、前記庇化粧材は、その上部が前記天板の立ち上がり部に水切りカバーを介して固定され、第３の固定部を構成し、前記庇化粧材と前記天板との前記第３の固定部は、該天板の上部に位置することを特徴としている。このように構成された軒先構造では、庇化粧材と天板との固定部は天板の上部に位置しているため、庇化粧材と天板との固定部から雨水等が浸入しても、その雨滴は天板の上に落ちるため、天板の内部に浸水することはなく、軒天井板の変色や受材の腐食を防止することができる。
【００１２】
他の好ましい態様では、前記軒天井板は、前記建物構造体側の端部が該建物構造体に差込み支持されるとともに、先端側の端部が前記庇化粧材に引掛け支持されることを特徴としている。さらに、差込み支持された一端部、及び引掛け支持された他端部は、ビス等で固定されると好ましい。このように構成された軒先構造では、軒天井板の建物構造体側の端部を建物構造体に差込み、反対側の先端側端部を庇化粧材の下端部で支持できるため、庇の下方に容易に軒天井板を固定することができる。
【００１３】
本発明に係る庇化粧材は、建物構造体から屋外方向に突出して固定される支持アームと、該支持アームの上面を覆う天板と、前記支持アームの下面を覆う軒天井板とを備える庇の周囲を覆う庇化粧材であって、この庇化粧材は、その上部で前記支持アームに受材を介して第１の固定部で固定されると共に、該受材の前記第１の固定部下方に水受部が形成されており、該水受部に溜められた水を前記庇化粧材の外部に排出する水抜き孔を形成したことを特徴としている。
【００１４】
このように構成された庇化粧材では、庇化粧材を支持アームに固定する部位で雨水等が浸入しても、その下方の水受部で受けて水抜き孔から外部へ排水することができるため、下方に位置している軒天井板に浸水した水が到達することがなく、軒天井板の変色や腐食を防止することができる。また、軒天井板を固定する部材の腐食を防止して、長期間美観を保つことができる。
【００１５】
庇化粧材の好ましい他の具体的な態様としては、前記庇化粧材は、前記受材又は支持アームに固定される中間部で２部材に分割されることを特徴としている。このように構成された庇化粧材では、上下に２分割された上部材と下部材とを連結する部位で支持アームに固定することができるため、施工が容易となると共に、庇化粧材を支持アームに確実に固定することができる。
【発明の効果】
【００１６】
本発明の軒先構造、及び庇化粧材は、庇化粧材の固定部分より雨水等が庇の内部に浸入しても、軒天井板に浸水することが防止され、軒天井板の変色を防止して美観を損なうことがない。また、軒天井板を支持する部材や、庇内部の部材の腐食を防止することができ、耐久性を向上させることができる。さらに庇化粧材の取付施工が容易となる。
【図面の簡単な説明】
【００１７】
【図１】本発明に係る軒先構造の一実施形態の要部断面図。
【図２】図１の庇化粧材の分割した状態の縦断面図を示し、（ａ）は上部材の断面図、（ｂ）は下部材の断面図。
【図３】図１の庇化粧材を固定する受材の側面図。
【図４】従来の軒先構造の一例の断面図。
【発明を実施するための最良の形態】
【００１８】
以下、本発明に係る軒先構造、及び庇化粧材の一実施形態を図面に基づき詳細に説明する。図１は、本実施形態に係る軒先構造の断面図であり、建物構造体を構成する建物ユニットの長辺方向の断面図であり、図２は、図１の庇化粧材の縦断面図を示し、（ａ）は上部材、（ｂ）は下部材を示しており、図３は、図１の庇化粧材を支持アームに固定するための受材の側面図である。
【００１９】
本実施形態の軒先構造は、直方体状の建物ユニットを複数個組み合わせたユニット建物の建物構造体（建物本体）より張り出される構造のものについて説明する。建物ユニット１はユニット建物を構成する建物構造体であり、図示していない４本の柱と、柱の下端を水平に連結する４本の下梁と、柱の上端を水平に連結する４本の上梁で構成され、全体として直方体の形状に構成されている。本実施形態の軒先構造は、建物ユニット１の長辺方向に張り出したものについて説明する。
【００２０】
建物ユニット１の庇が取付けられる柱２の上端には、長辺方向の水平の上梁３と、短辺方向の水平の上梁４が連結されている。柱２の屋外側には外壁パネル５が固定される。外壁パネル５は四角筒状の鋼製フレーム５ａの外側に、例えば硬質木片セメント板５ｂが固定されて構成されている。短辺方向の上梁４には、庇１０を固定するための複数の支持アーム１１が水平に突出した状態で固定されている。支持アーム１１は断面がコ字状のＣ形鋼で形成され、短辺方向の上梁４に固定される基端側の端部には垂直に連結板１１ａが固着されている。この連結板１１ａを上梁４に接触させてボルトナット１１ｂで結合して支持アーム１１を建物ユニット１に片持ちで固定する構成となっている。
【００２１】
支持アーム１１には、この支持アームの上方を覆う天板１２を支持するために、先端側に受板１３が固定され、中間部に受台１４が固定されている。受板１３は垂直方向に延びる平板部の上端を水平方向に屈曲させて構成され、上端の水平部１３ａが天板を受ける形状となっている。受板１３には高さ調整用の固定孔１３ｂが形成され、この固定孔を貫通する固定ねじで高さを３段階に調整して支持アーム１１に垂直に固定する構成となっている。受板１３、及び受台１４の個数は軒先構造を構成する庇１０の長さに合せて、複数個としてもよい。
【００２２】
天板１２は複数の金属折板１２Ａを連結して形成され、１つの金属折板の谷部の両側に２つの山部が屈曲形成された鋼板の山部同士を連結して屋根材として機能させるものである。上梁４に所定の間隔で平行に固定された複数の支持アーム１１のそれぞれに、高さ調整して受板１３を固定することで天板１２に所定の勾配をつけることができる構成となっている。建物ユニット１から離れた先端側の金属折板１２Ｂは、先端側が直角に屈曲され立上がっており、立上げ部１２ａが形成されている。
【００２３】
支持アーム１１の中間部に固定される受台１４は鋼板から形成され、支持アーム１１から垂直方向に延出する形状であり、下端が支持アームにボルトナット等により固定され、上端の水平部に天板１２を固定する固定具１５がボルトナットで連結固定されている。固定具１５は上端が幅広に形成され、天板を構成する金属折板１２Ａ，１２Ｂの山部のくびれた幅狭部に嵌合して天板１２を支持固定する形状となっている。
【００２４】
本実施の形態の軒先構造では、支持アーム１１と、支持アームの上方を覆う天板１２と、支持アーム１１の下方を覆う軒天井板１６と、支持アーム１１の先端部に固定され天板１２の先端部、及び軒天井板１６の先端部を覆う庇化粧材２０とにより庇１０が構成される。庇１０の先端側の周囲を囲む庇化粧材２０は、支持アーム１１と、この支持アームの上部に位置する天板１２と、支持アーム１１の下方に位置する軒天井板１６との間の空間の先端側の開口を覆うように機能するものであり、上下に連結された上部材２０Ａと下部材２０Ｂの２部材から構成されている。
【００２５】
庇化粧材２０は、支持アーム１１の先端に固定される受材２１を介して、支持アーム１１に固定される。受材２１は断面コ字状の鋼板から形成され、水平方向に延出される支持アーム１１に対して垂直方向に上方に延出する形状をしている。受材２１の上端には水平方向に延びる連結部２１ａが形成され、中間部下方には切欠き部が形成され、この切欠き部内に上方に突出する係合部２１ｂが形成されている。受材２１は図示していないボルトナット等により支持アーム１１の先端部に固定される。なお、受材２１は支持アーム１１に溶接により固着したものでもよい。
【００２６】
庇化粧材２０の上部材２０Ａは、図２に詳細に示すように、アルミニウム等の押出し材で形成され、上端の水平状の連結部２０ａと、これに連続して下方に傾斜する上傾斜部２０ｂと、これに連続して水平に延出する水平固定部２０ｃと、これに連続する前カバー部２０ｄと、これに連続する水平な水受部２０ｅと、これに連続する下方係合部２０ｆ、及び垂直な下方固定部２０ｇを備えている。下方係合部２０ｆには下向きに突出する係合片が形成されている。前カバー部２０ｄは建物ユニットから離れる方向に傾斜すると共に、建物ユニット側に接近するように２段階に傾斜している３つの傾斜面で構成されている。水平固定部２０ｃの下方に水受部２０ｅが位置しており、水受部には水抜き孔２０ｈが形成されている。前カバー部２０ｄは、前記のように複数の連続した傾斜面で構成する代わりに湾曲面で形成したものでもよい。
【００２７】
また、庇化粧材２０の下部材２０Ｂは、鋼板を屈曲して形成したものであり、上端の垂直固定部２０ｉと、これに連続する下カバー部２０ｊと、これに連続する垂直立上げ部２０ｋとを備えている。下部材２０Ｂの垂直固定部２０ｉと、上部材２０Ａの下方固定部２０ｇを重ねてビス等で連結することで、上部材２０Ａと下部材２０Ｂは連結され、庇化粧材２０が構成される。本実施の形態では、２部材を連結するビスは、同時に受材２１に螺合され、後述する第２の固定部を構成する。なお、この下部材２０Ｂもアルミニウム等の押出し材で形成してもよいことは勿論である。また、下カバー部２０ｊも、連続した傾斜面でなく湾曲面で形成してもよい。
【００２８】
庇化粧材２０は支持アーム１１の先端に固定された受材２１を介して支持アーム１１に固定されている。すなわち、庇化粧材２０の上部材２０Ａの下方係合部２０ｆの係合片が、支持アーム１１の中間部下方に形成された切欠き部内に上方に向けて突出する係合部２１ｂに係合され、受材２１の上端の水平な連結部２１ａと、庇化粧材２０の水平固定部２０ｃがビス、ブラインドリベット等で固定され、庇化粧材の上部材２０Ａは支持アーム１１に固定されている。受材２１の上部と上部材２０Ａの水平固定部２０ｃとのビスによる固定が第１の固定部Ｆ１となっている。この第１の固定部Ｆ１は軒天井板１６の先端より外側に位置し、建物ユニット１より離れた位置にとなっている。換言すると、建物ユニット１の基準面、例えば外壁パネル５の表面を基準としたとき、軒天井板１６の先端はＬ１の距離であり、第１の固定部Ｆ１の距離はＬ２であり、Ｌ２はＬ１より大きく設定されている。
【００２９】
また、下部材２０Ｂは、上端の垂直固定部２０ｉを上部材２０Ａの下端の下方固定部２０ｇに重ねた状態でビス等を受材２１の固定孔２１ｃにねじ込んで固定され、第２の固定部Ｆ２となっている。この第２の固定部Ｆ２は庇化粧材２０の上部材２０Ａの水受部２０ｅの下方に位置している。そして、第２の固定部Ｆ２も、軒天井板１６の先端より外側に位置している。すなわち、受材２１と庇化粧材２０の第１の固定部Ｆ１、及び第２の固定部Ｆ２はともに、軒天井板１６の外側に位置している。
【００３０】
このように受材２１を介して支持アーム１１に固定された庇化粧材２０では、上部のビス等で固定された第１の固定部Ｆ１の下方に水受部２０ｅが位置するように構成されており、水受部２０ｅには水抜き孔２０ｈが形成されている。そして、下部材２０Ｂの上端の垂直固定部２０ｉを上部材２０Ａの下端の垂直固定部２０ｇに重ねてビス等を受材２１にねじ込んで第２の固定部Ｆ２により下部材２０Ｂを固定して、庇化粧材２０は支持アーム１１に固定されている。
【００３１】
天板１２の先端の部材１２Ｂは、他の部材１２Ａと端部が異なり、上方に直角に屈曲されている立上げ部１２ａが形成してある。一方、庇化粧材２０の上端の連結部２０ａに水切りカバー２２がビス等で固定されている。この水切りカバー２２は上端の水平片と、これに連続して垂下する垂直片と、垂直片の端部に連続する傾斜片とから構成され、垂直片と天板１２Ａの立上げ部１２ａが対接してビス等で連結されている。この構成により、庇化粧材２０と天板１２との水切りが成され、漏水が防止される。
【００３２】
支持アーム１１の下方を覆う軒天井板１６は、珪酸カルシウム板や、石膏ボード、石綿保温板等の耐火材で構成されており、建物ユニット１に近接する基端側の端部と建物ユニットから離れた先端側の端部により支持されている。支持アーム１１の下面には軒天受材１７，１７が溶接により固着されている。これらの受材は溶接される水平部から垂直部が立下り、さらに水平部が連続して支持アームから離れた水平部に、軒天井板１６の下面を覆う鋼板の軒天パネル１６ａがビス止めされて固定される。
【００３３】
より詳細には、軒天井板１６の下面を覆う軒天パネル１６ａは建物ユニット１に近接する基端側の端部が軒天受材１７と外壁パネル５の上端との隙間に差込まれ、ビスを軒天受材１７にねじ込んで固定している。また、建物ユニット１から離れた先端側の端部は、先端が下方に折り曲げられ、庇化粧材２０の下部材２０Ｂの垂直立上げ部２０ｋに引掛けられてビスにより軒天受板１７に固定されている。
【００３４】
このように、庇化粧材２０は庇１０の周囲を覆う機能を有するものであり、その上部で天板１２に連結され、その中間部で受材２１を介して支持アーム１１に固定され、その下部で軒天井板１６の一端部を支持している。また、庇化粧材２０は支持アーム１１に固定される中間部で２部材に分割される構成となっており、第２の固定部Ｆ２で２部材を連結して支持アーム１１に固定する構成となっている。
【００３５】
なお、図示していないが、天板１２の勾配に沿って一端側に集められた雨水は、横樋に集められ、横樋内を勾配に沿って流れ、横樋の貫通孔から縦樋を通して排水される構成となっている。
【００３６】
前記の如く構成された本実施形態の軒先構造の動作について以下に説明する。建物ユニット１の上梁４に、所定の間隔で支持アーム１１の連結板１１ａを対接させ、ボルトナット１１ｂで固定する。片持ち状態に固定されて、建物ユニット１から水平状態に突出する支持アーム１１の先端側に受板１３を固定し、さらに受台１４を固定する。受板１３は、この上に装着される天板１２の勾配に合わせて、固定孔１３ｂのボルトを貫通させる高さを選択してその高さが調整される。受台１４の上部に固定具１５をボルトナットで連結固定する。固定具１５の上部に天板１２の山部を嵌合させ、順次、天板の山部同士を嵌合させて屋根面を形成する。
【００３７】
つぎに、支持アーム１１の先端に受材２１を固定し、この受材に庇化粧材２０を固定する。受材が支持アームに溶接される場合は、この動作は不要となる。庇化粧材２０の上部材２０Ａの下方に形成された下方係合部２０ｆの係合片を受材２１の切欠き部内に形成された係合部２１ｂに係合させ、受材２１の上端の連結部２１ａに上部材２０Ａの水平固定部２０ｃを対接させて、ビスで固定して第１の固定部Ｆ１とする。第１の固定部Ｆ１では、ビスが庇化粧材２０を貫通しているため、雨天等により、雨水が浸入して庇１０の内部に浸水することが考えられる。
【００３８】
上部材２０Ａを固定したあと、下部材２０Ｂを固定して庇化粧材２０を一体化させる。下部材２０Ｂの垂直固定部２０ｉを上部材２０Ａの下方固定部２０ｇの外側に重ねてビスをねじ込むことで第２の固定部Ｆ２として下部材２０Ｂを支持アーム１１に固定することができる。このようにして、支持アーム１１の突出側の先端に受材２１を介して庇化粧材２０を固定する。
【００３９】
つぎに、天板１２Ｂと庇化粧材２０との隙間を水切りカバー２２で塞ぐ。庇化粧材２０の上部の連結部２１ａに水切りカバー２２の水平片を対接させ、ビスで連結固定する。水切りカバー２２の垂直片は天板１２Ｂの建物ユニット側に接しており、この部分をビスで連結固定する。これにより、庇化粧材２０と天板１２とは漏水することがないように連結される。そして、支持アーム１１の下方に軒天井板１６を固定する。すなわち、軒天井板１６の下面を覆う軒天パネル１６ａの建物ユニット１側の端部を外装パネル５の上端の隙間に差込み、次いで反対側の端部を下部材２０Ｂの垂直立上げ部２０ｋの上方に引掛け支持させ、軒天受材１７，１７にビス等で固定する。このように、軒天井板１６の固定は容易に施工できる。
【００４０】
庇化粧材２０は上部材２０Ａと、下部材２０Ｂの２部材で構成され、受材２１を介して支持アーム１１に固定され、上部で屋根材を構成する天板１２と連結され、下部で軒天井板１６を支持して軒天井板を固定するため、容易な施工で庇１０の周囲を覆うことができる。また、２部材を一体化させる中間部が庇化粧材２０の第２の固定部Ｆ２となるため、一体化と共に固定状態を安定化させることができる。
【００４１】
このように組み立てられた本実施形態の軒先構造では、雨天等で軒先に雨水が降ると、第１の固定部Ｆ１のビス部分から庇１０の内部に浸水することがあるが、浸水した雨水は庇化粧材２０の内部に垂直方向に滴下し、軒天井板１６の外側であるため、軒天井板１６に浸水することはない。また、滴下した雨水は水受部２０ｅに溜まり、溜まった雨水は水抜き孔２０ｈから庇化粧材２０の外部に排出される。このため、内部に浸入した雨水が軒天井板１６の部分に移動して軒天井板を変色させることが防止され、軒天井板を支持する部材の腐食を防止することができる。
【００４２】
また、第２の固定部Ｆ２において、ビスの貫通孔から雨水が浸入しても、浸入した雨水は軒天井板１６の方に移動することはないため、軒天井板１６にしみ等の変色が発生することはない。第２の固定部Ｆ２は、上部材２０Ａの水受部２０ｅの下方に位置し、水受部に溜められた雨水は外部に排出されるため、もともと雨水等が浸入する恐れは少ない構成となっている。さらに、第３の固定部Ｆ３において、天板１２と庇化粧材２０とを連結するビスの貫通孔から雨水が浸入しても、ビスは天板１２Ｂの上部に位置しているため、庇１０の内部に浸水することはない。
【００４３】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、庇化粧材は２部材から構成される実施の形態を示したが、単一の部材から構成してもよく、３部材以上で構成してもよい。
【００４４】
また、庇を構成する支持アームは建物構造体の上梁から張り出した構成のものについて説明したが、柱や他の構造材から突出するものでもよいことは勿論である。建物構造体から突出する方向は水平方向に限られるものでなく、上方に傾斜するもの、あるいは下方に傾斜するもの等、適宜変更できる。
【産業上の利用可能性】
【００４５】
本発明の活用例として、この軒先構造を用いて、ユニット建物以外の木造やコンクリート造等の建物にも適用することができ、玄関ポーチ等から庇の突出する建物のエントランス等の用途にも適用できる。
【符号の説明】
【００４６】
１：建物ユニット（建物構造体）、１０：庇、１１：支持アーム、１２，１２Ａ，１２Ｂ：天板、１６：軒天井板、１６ａ：軒天パネル、２０：庇化粧材、２０Ａ：上部材、２０Ｂ：下部材、２０ａ：連結部、２０ｃ：水平固定部、２０ｅ：水受部、２０ｈ：水抜き孔、２０ｇ：下方固定部、２０ｋ：垂直立上げ部、２１：受材、２１ａ：連結部、２１ｂ：係合部、２１ｃ：固定孔、２２：水切りカバー、Ｆ１：第１の固定部、Ｆ２：第２の固定部、Ｆ３：第３の固定部
【図１】
0005632143.tif 000002
【図２】
0005632143.tif 000003
【図３】
0005632143.tif 000004
【図４】
0005632143.tif 000005